(57)【要約】【課題】  オーディオ装置におけるボツ音防止可能な音信号切換手段を小型化すると共に、切換制御のための時定数部の時定数を変更可能にして切換を一層滑らかに行う。【解決手段】  音信号を出力レベルの異なる音信号に切り換えるための複数のスイッチＳＷ１a'〜ＳＷ2b'を有する音信号選択手段１２を音入力源と音出力手段との間に設ける。音信号を出力レベルの異なる音信号に切り換える際に、切換前後の音信号を共存させその間に音信号の切換を行う。切換制御のための時定数部８をＩＣ内に内蔵したＳＣＦで構成し、その時定数τは、ＶＣＯ６で生成される基準信号を可変の分周率で分周したクロック信号Ｆｃｌｋで調整自在に制御する。【選択図】        図１
2005286532.tif 000002
【特許請求の範囲】
【請求項１】
マイク等の音入力源とスピーカ等の音出力手段との間に設けられるとともに制御手段からの制御信号に基づいて前記音入力源と前記音出力手段との間の音信号の伝達経路を切り換えるための音信号選択手段を有するオーディオ装置であって、
前記音信号選択手段は、複数の音信号出力レベルに対応して設けられた複数のスイッチ回路と、前記制御信号に基づいて選択すべき音信号出力レベルに対応したスイッチ回路を導通状態にするスイッチ回路切換手段とを有し、
前記スイッチ回路切換手段は、前記音信号の切り換え時に、切り換え前に選択されていたスイッチ回路と切り換え後に選択されるスイッチ回路とを同時に導通状態にするとともに、
切り換え前に選択されていたスイッチ回路からの音信号を、ＩＣ回路中に作り込まれた時定数部の時定数で規定される時間内において徐々に低減し、切り換え後に選択されるスイッチ回路からの音信号を徐々に増大することを特徴とするオーディオ装置。
【請求項２】
請求項１に記載されたオーディオ装置において、
前記時定数部はスイッチトキャパシタフィルタ回路であることを特徴とするオーディオ装置。
【請求項３】
請求項１又は２のいずれかに記載されたオーディオ装置において、
前記スイッチトキャパシタフィルタ回路の時定数を制御するクロック信号を供給する手段、及び該クロック信号の周波数を制御する手段を備えたことを特徴とするオーディオ装置。
【請求項４】
請求項３に記載されたオーディオ装置において、前記クロック信号の周波数を制御する手段は、ＶＣＯで生成した基準信号の分周比を制御する制御装置であることを特徴とするオーディオ装置。
【発明の詳細な説明】
【技術分野】
【０００１】
本発明はオーディオ装置に関し、とくに電子ボリューム等のように音信号の出力レベルを電子的に切り換えるためのオーディオ装置に関する。
【背景技術】
【０００２】
近年、電子ボリュームと言われるような入力される音声信号の出力レベルを電子的に切り換えて出力する回路や、グラフィックイコライザやサウンドエフェクトと言われるような音声信号の各帯域別のゲインを電子的に変更して出力する回路等を有するオーディオ装置が一般的になっている。
【０００３】
このようなオーディオ装置では、電子ボリューム回路やゲインコントロール回路等に用いられるスイッチ回路を電子的に切り換えた時に、選択された音声信号のレベルが急激に変化することによりスピーカからボツ音等の異音を発生したり音声が急に途切れたような違和感を感じたりすることがある。
図６はその一例を示し、時間ｔ１でスイッチ回路を切り換えたときに出力される出力電圧が不連続になっている様子を示している。更に言えば、図６（ａ）はＤＣ電圧レベルが同一のはずの信号の電圧レベルが回路のオフセット電圧（ΔＶ）等により異なってしまった場合を示し、図４（ｂ）は信号の位相が異なってしまった場合を示している。
【０００４】
これ等の問題を防ぐために、例えば、特許文献１には、図７の波形図に示すように、電子ボリューム回路に入力される入力信号が基準電圧と同じになった時（以下「ゼロクロス点」と称す）を検出し、ゼロクロス点で音声信号を切り換えることにより信号レベルが同一のときに信号を切り換えることが示されている。図７の上側の波形は入力信号と基準電圧との関係を示し、下側の波形はゼロクロス点検出に応じて出力される出力信号を示している。この出力信号を用いてスイッチ回路を切り換えるようにすれば、異なる電圧レベルの音声信号を出力するときでも入力信号のレベルが同じ基準電圧のときに切り換わることになるので、出力される電圧レベルが急激に変化することはなくなる。
【０００５】
また、特許文献２には、図８に示すように、音信号の伝達される経路を切換えた場合でも、音出力手段から違和感のある音が出力されるのを容易に防げるようにしたオーディオ装置として、磁気テープ又は光ディスク等の記憶媒体に記録された音信号を再生増幅したりマイク等からの音声信号を増幅したりする音入力源１１と、スピーカ等の音出力手段１４と、その両者の間に設けられるとともにシステム制御手段１５からの制御信号に基づいて音入力源１１と音出力手段１４との間の音信号の伝達経路を切り換えるための音信号選択手段１２、及び出力増幅器１３からなるオーディオ装置が記載されている。
このオーディオ装置における音信号選択手段１２は、図９に示すように、複数の音信号に対応して設けられた複数のスイッチ回路（ＳＷ１（ａ、ｂ、ｃ、ｄ）、ＳＷ２（ａ、ｂ、ｃ、ｄ））と、制御信号に基づいて選択すべき音信号に対応したスイッチ回路を導通状態にする信号切換回路３とを有し、切り換え前に選択されていたスイッチ回路からの音信号を徐々に低減し切り換え後に選択されるスイッチ回路からの音信号を徐々に増大するようにしている。
【０００６】
音選択手段の具体例である電子ボリューム回路１２は、図９に示すオーディオ装置において、音入力源部１１からの音信号を入力するための入力端子ＩＮと、出力増幅器１３へ音信号を出力するための出力端子ＯＵＴと、入力端子ＩＮと基準電位との間に直列接続されて音信号の分電圧を発生する複数の抵抗Ｒ１乃至Ｒ４と、入力端子ＩＮ及び抵抗分圧された各電圧レベルの信号が各々スイッチ回路ＳＷ１（ａ、ｂ、ｃ、ｄ）を介してその入力に共通接続された増幅器１と、スイッチ回路ＳＷ１（ａ、ｂ、ｃ、ｄ）につながるのと同じ電圧レベルの信号が各々スイッチ回路ＳＷ２（ａ、ｂ、ｃ、ｄ）を介してその入力に共通接続された増幅器２と、増幅器１と増幅器２の増幅比率を徐々に変更しながら出力端子ＯＵＴに音信号を出力する信号切換回路３と、システム制御部１５からの設定データに応じて各スイッチ回路の選択及び各増幅器の増幅割合を各々制御する制御部４とから構成されている。
【０００７】
制御部４には、システム制御部１５からシリアルデータ信号ＳＤ、シリアルクロック信号ＳＣＫ及びデータラッチ信号ＤＬが入力されるとともに、各スイッチ回路の制御信号ＳＷＣ１、ＳＷＣ２及び信号切換回路３を制御する制御信号ＳＷＣ３が出力される。また、増幅器１及び増幅器２の反転入力には、各増幅器の出力がそれぞれ接続されている。
【０００８】
ここで、図１０のタイミング図を基に、音量レベルを入力端子ＩＮの電圧レベルから抵抗Ｒ１と抵抗Ｒ２との接続点に発生している電圧レベルに切り換えるときの動作について説明する。システム制御部１５から送られた８ビットからなるボリューム等の設定データをシリアルデータ信号ＳＤとシリアルクロック信号ＳＣＫとにより所定のタイミングで制御部４に読み込んだ後に、データラッチ信号ＤＬのタイミングでラッチすることにより、音信号切換手段である電子ボリューム回路１２の設定が完了する。制御部４はこの設定データに応じて、次に選択されるスイッチ回路（ＳＷ２ｂ）をまず導通（ＯＮ）し、所定時間（ｔｃｈ）経過後に現在選択されているスイッチ回路（ＳＷ１ａ）を非導通（ＯＦＦ）にするとともに、この間に信号切換回路３で現在選択中の増幅器１の出力を次に選択する増幅器２の出力に徐々に切り換えていく。言い換えれば、所定時間（ｔｃｈ）の間、増幅器１及び増幅器２を共に動作させるとともに、制御信号ＳＷＣ３に応じて、信号切換回路３に入力される各音信号のうち増幅器１からの音信号が出力される割合を徐々に低減しながら、増幅器２からの音信号が出力される割合を徐々に増大するようにして、その合成信号を出力端子ＯＵＴから出力する。
【０００９】
同様に、スイッチ回路ＳＷ２ｂで選択された信号レベルから次の信号レベルに切り換えるときには、次に選択するスイッチ回路ＳＷ１（ａ〜ｄ）をまづ導通（ＯＮ）し、所定時間（ｔｃｈ）時間後にＳＷ２ｂを非導通（ＯＦＦ）にする。そしてこの期間に、信号切換回路３を現在選択中の増幅器２の出力から次に選択する増幅器１の出力に徐々に切り換えていく。このような動作を繰り返すことにより任意の信号レベルへ切り換える。
【００１０】
つまり、制御信号ＳＷＣ３に応じて各定電流源（図示せず）に流れる電流値をそれぞれ制御して各増幅器の増幅率を各々制御しながら出力加算することで、入力端子ａ及び入力端子ｂからの入力信号を任意の割合で選択し出力端子ＯＵＴから出力できるようになっている。尚、この切換動作は、数１０ｍｓ乃至数１００ｍｓの時間、好ましくは１００ｍｓ乃至２００ｍｓの時間をかけて徐々に行うようにするので、各入力端子に入力される切換前後の入力信号の電圧レベルが異なっていても出力される電圧レベルが急激に変化することがなくなる。従って、スピーカ等から聴覚的に気になる音が出力されてしまうことがなくなる。
【００１１】
しかしながら、特許文献１に記載されたオーディオ装置におけるゼロクロス点で信号を切り換える方法は、図１１にゼロクロス点付近の信号波形の一部を示すように、時間ＴＢにゼロクロス点を検出してからスイッチ回路が動作して入力信号が実際に切り換わるまでにｔｄで示す遅延があり、その時入力されていた入力信号（ＩＮ１、ＩＮ２）の信号波形によっては出力される電圧レベル（ＶＩＮ１、ＶＩＮ２）にばらつきを生じることになる。言い換えれば、どのような入力信号の場合でも完全に同じ電圧で信号を切り換えられるのではなく、聴覚的な違和感を完全に無くすのは難しかった。更に、このような方法は、位相の異なる入力信号には使えないという問題もあった。
また、同一電圧レベルのはずの信号を切り換える場合も、回路に生じるオフセット電圧を完全に無くして切り換えるべき電圧を常に一致させることは非常に難しかった。
【００１２】
特許文献２に記載のオーディオ装置では、特許文献１に記載された装置が有する上記の問題は生じないが、この音声信号レベル変更手段は回路規模（スイッチの数等）が大幅に増加してしまうだけでなく、切換時間設定用の時定数部に大容量のコンデンサを必要とするから、コンデンサＣxをＩＣに内に作り込むことができず図９に示すように外付けにする必要であるという問題がある。更に時定数は外付けコンデンサを用いた時定数部の容量や抵抗値を変えない限り一定であって、一度時定数部を形成した後は変更出来ないという問題がある。
【特許文献１】特開平３−４８５０７号公報
【特許文献２】特開平１１−３４０７５９号公報
【発明の開示】
【発明が解決しようとする課題】
【００１３】
本発明は以上のような従来の問題を解決すべくなされたものであって、その目的は、回路を小型化するとともに時定数を変更できるようにして、音声信号レベルをより滑らかに変更できるようにすることである。
【課題を解決するための手段】
【００１４】
請求項１の発明は、マイク等の音入力源とスピーカ等の音出力手段との間に設けられるとともに制御手段からの制御信号に基づいて前記音入力源と前記音出力手段との間の音信号の伝達経路を切り換えるための音信号選択手段を有するオーディオ装置であって、前記音信号選択手段は、複数の音信号出力レベルに対応して設けられた複数のスイッチ回路と、前記制御信号に基づいて選択すべき音信号出力レベルに対応したスイッチ回路を導通状態にするスイッチ回路切換手段とを有し、前記スイッチ回路切換手段は、前記音信号の切り換え時に、切り換え前に選択されていたスイッチ回路と切り換え後に選択されるスイッチ回路とを同時に導通状態にするとともに、切り換え前に選択されていたスイッチ回路からの音信号を、ＩＣ回路中に作り込まれた時定数部の時定数で規定される時間内において徐々に低減し、切り換え後に選択されるスイッチ回路からの音信号を徐々に増大することを特徴とするオーディオ装置である。
請求項２の発明は、請求項１に記載されたオーディオ装置において、前記時定数部はスイッチトキャパシタフィルタ回路であることを特徴とするオーディオ装置である。
請求項３の発明は、請求項１又は２のいずれかに記載されたオーディオ装置において、前記スイッチトキャパシタフィルタ回路の時定数を制御するクロック信号を供給する手段、及び該クロック信号の周波数を制御する手段を備えたことを特徴とするオーディオ装置である。
請求項４の発明は、請求項３に記載されたオーディオ装置において、前記クロック信号の周波数を制御する手段は、ＶＣＯで生成した基準信号の分周比を制御する制御装置であることを特徴とするオーディオ装置である。
【発明の効果】
【００１５】
本発明のようなオーディオ装置の構成をとることにより選択される音信号が第１の信号レベルから第２の信号レベルに急激に切り換わることがなくなるので、音出力手段から違和感のある音が出力されるのを容易に防ぐことができるという効果がある。
また、特に、本発明により、コンデンサなどの外付け部品を無くし、時定数を任意に可変できるようになったため、省スペース、高性能化が実現した。そのためユーザーニーズにより合致した商品展開が可能となった。
しかもＩＣ内に大きい内部抵抗Ｒを作ることで、時定数部のコンデンサを小さくできるためＩＣの内部に取り込むことができ、回路を小型化するとともにコストも低減できる。
【発明を実施するための最良の形態】
【００１６】
本発明のオーディオ装置の一実施形態について図面を参照して説明する。
オーディオ装置１０は、図８に示す従来のものと同様に、マイク等の音入力源１１とスピーカ等の音出力手段１４との間に設けられ、システム制御部１５からの制御信号に基づいて音入力源と音出力手段との間の音信号の伝達経路を切り換えるための音信号選択手段である電子ボリューム装置１２、及び出力増幅器１３からなっている。
図１は本発明のオーディオ装置を構成する電子ボリューム装置の一実施形態を概略的に示すブロック図である。この実施形態においては、音入力源部１１からの音信号を入力するための入力端子ＩＮと、出力増幅器１３へ音信号を出力するための出力端子ＯＵＴと、入力端子ＩＮと基準電位との間に直列接続されて音信号の分電圧を発生する複数の抵抗Ｒ１ないしＲ４と、入力端子ＩＮ及び抵抗Ｒ１〜Ｒ４で分圧された各電圧レベルの信号を、前記従来と増幅器１又は増幅器２の入力端子に入力するスイッチ回路ＳＷ１ａ’〜ＳＷ２ｂ’と、増幅器１と増幅器２の増幅比率を徐々に変更しながら出力端子ＯＵＴに音信号を出力するため、後述の時定数部８からの制御信号を受けて前記増幅器１及び２を制御する信号切換回路９と、マイクロコンピュータ７からの設定データに応じて各スイッチ回路ＳＷ１ａ’〜ＳＷ２ｂ’を選択する制御部４ａと、制御部４ａからの分周比の命令に応じて、ＶＣＯ（電圧制御発信器）６で発生させた基準信号の周波数を１／Ｎに分周する分周器５、及び分周されたシステムクロック周波数Ｆｃｌｋに基づき各増幅器１、２の切換時間を制御する時定数部８とからなっている。時定数部８は後述するＳＣＦ（スイッチトキャパシタフィルタ：Switched Capacitor Filter）からなりＩＣ内に作り込まれている。
【００１７】
制御部４ａは、マイクロコンピュータ７からシリアルクロックＳＣＫとシリアルデータ信号ＳＤＡが入力されているとともに、各スイッチ回路の制御信号ＳＷＣａ及び各スイッチのＯＮ、ＯＦＦに応じた信号ＳＷＣcを時定数部８に出力する。
【００１８】
図２は、図１のブロック図の各要素について具体的に示した回路図である。信号切換回路９は、図示のように定電流源Ｉrにそれぞれエミッタ側が並列に接続されたトランジスタＴＡ及びＴＢからなり、一方のトランジスタＴＡのベースには時定数部８からの出力電圧が印加され、また、他方のトランジスタＴＢのベースには基準電圧Ｖrefが印加されている。この構成により、信号切換回路９では時定数部８からの出力信号ＳＷＣｂの電圧Ｖａが基準電圧Ｖrefより高ければ、それに応じて定電流源Ｉｒからの電流をトランジスタＴＡ側よりトランジスタＴＢ側により多くの電流ＩＢを流し、逆に、信号電圧Ｖａが基準電圧Ｖrefより低ければ、トランジスタＴＡ側により多くの電流ＩＡが流れる。
このように、信号切換回路９は、時定数部８の立ち上がり又は立ち下がり特性に応じた信号電圧Ｖａの大きさにより電流配分比が連続して変化する電流ＩＡ及びＩＢを出力する。この電流ＩＡ及びＩＢは、図示のようにそれぞれ増幅器１、２に制御電流として加えられ、その結果、それぞれの増幅器（アンプ）１及び２は、前記制御電流量に応じた出力を生じる。つまり設定された時定数τ内において増幅率を０から１００％又は１００から０％に変更する。
【００１９】
図３は以上で説明した時定数部８を具体的に説明するための図であり、図３ａはＳＣＦを用いた実際の時定数回路を示し、この時定数回路は、コンデンサＣ０を挟んで両側にそれぞれスイッチＳａ〜Ｓｄを設け、スイッチＳｄに一端を接地したコンデンサＣの他端を接続した構成である。図３ｂはその等価回路を示し、この回路の時定数τはτ＝ＲＣで表される。図３ｃは、各スイッチＳａ、Ｓｂを動作させる切換信号φ１、φ２を示し、その周波数はFｃｌｋである。
この構成において、スイッチＳａ〜Ｓｄを周波数Fｃｌｋで交互に切り換えると抵抗が生じ、その抵抗値Ｒは、Ｒ＝１／ＣＦｃｌｋで表される。従って、スイッチ切換周波数Fｃｌｋの周期を長くする、つまり周波数を下げることでＩＣ内にきわめて大きな抵抗Ｒを作り出すことができる。この場合の時定数τは、τ＝ＲＣ＝（１／Ｃ０Ｆｃｌｋ）×Ｃであるから、Ｒ成分つまり１／Ｃ０Ｆｃｌｋをきわめて大きくすることで従来の外付けコンデンサＣの容量が数μＦ程度であったものをＩＣ内に内蔵可能な、例えば数１０ｐＦ程度のものにすることができる。また、時定数τ自体を大きくできることも自明である。
更に、ＳＣＦで時定数部を構成する場合、コンデンサＣ０とＣは何れも多層構成のＩＣの同層内に形成されるため、誤差の傾向が一致しコンデンサＣ０とＣの容量がそれぞれ目標値からずれる場合であっても、時定数はコンデンサＣ０とＣの各容量比に基づくためその誤差は相殺され、安定するという利点もある。
【００２０】
本実施形態においては、スイッチ切換周波数Ｆｃｌｋの変更、従って時定数τの変更は、制御部４ａで指示する分周率を変更することで自由に行うことができる。
【００２１】
以上の構成において、ボリュームのレベルの選択は、ＳＷ１ａ’〜ＳＷ２ｂ’と信号切換回路９により行う。また、この信号切換回路９は時定数部８により所定の時間（τ）内で緩やかに切り換わるように制御される。
即ち、音量レベルを入力端子１Ｎの電圧レベルから抵抗Ｒ１と抵抗Ｒ２との接続点に発生している電圧レベルに切り換えるときは、システム制御部１５から送られた８ビットからなるボリューム等の設定データをシリアルデータ信号ＳＤＡとシリアルクロック信号ＳＣＫとにより所定のタイミングで制御部４ａに読み込んだ後に、データラッチ信号ＤＬのタイミングでラッチすることにより、音信号切換手段である電子ボリューム回路１２の設定が完了する。制御部４ａはこの設定データに応じて、次に選択されるスイッチ回路（ＳＷ２ａ’）をまず導通し、さらに所定のタイミング、ここでは更にスイッチ回路（ＳＷ１ｂ’）が導通したときに現在選択されているスイッチ回路（ＳＷ１ａ’）を非導通にする。
【００２２】
スイッチ回路の切換時、信号切換回路９は、現在選択中の増幅器１又は２に印加している制御電流ＩＡ又はＩＢを徐々に減らし、代わりに増幅器２又は１に印加している制御電流ＩＢ又はＩＡを徐々に増加させる制御を行う。これによって出力端子ＯＵＴからの出力割合を増幅器１又は２の出力から次に選択する増幅器２又は１の出力に徐々に切り換えていく。このようにして、この電子ボリューム回路１２の出力は、時定数τできまる時間経過後には増幅器２又は１のいずれか一方からのみとなる。
増幅器１，２の出力の切換は、スイッチＳＷ２ａ’からＳＷ１ｂ’へ、スイッチＳＷ１ｂ’からＳＷ２ｂ’への切換においても同様である。勿論スイッチは任意の数設けることができる。
このようにスイッチをスイッチＳＷ１ａ’、ＳＷ２ａ’ＳＷ１ｂ’ＳＷ２ｂ’の順又はその逆の順に順次切り換えていくことにより、従来のものより少ないスイッチでボリュームの切換を違和感なくスムースに行うことができる。
【００２３】
図４は本発明によるボリューム切換の一例を示す波形図である。実線で示す入力信号が時定数部８で設定される時定数に応じた切換時間内において、緩やかに破線で示す出力信号に切り替わっていく様子が示されている。
【００２４】
図５は本オーディオ装置におけるボリューム切換を説明するためのタイムチャートの１例を示す図である。
現時点（ｔ＝０時点）でスイッチＳＷ１ａ’は導通（ＯＮ）状態であり、その後（ｔ＝ＴＡ時点）ボリュームの切換のためスイッチＳＷ２ａ’がＯＮされると、スイッチＳＷ２ａ’のＯＮに伴い時定数部３の出力はＬＯＷ（状態Ａ）からＨＩＧＨ（状態Ｂ）に変化し、これに伴って信号切換回路９からの制御電流ＩＡは最大電流Iｍ（１００％）から０（０％）に向かって、逆に制御電流ＩＢは０から最大電流Ｉｍに向かって変化する。続いてｔ＝ＴＢ時点でスイッチＳＷ１ｂ’がＯＮすると、同時にスイッチＳＷ１ａ’は非導通（ＯＦＦ）となり、その結果時定数部３からの信号電圧Ｖａが変化し、信号切換回路９からの制御電流１Ｂは最大電流Iｍ（１００％）から０（０％）に、逆に制御電流ＩＡは０から最大電流Ｉｍに向かって変化する。
このように、各スイッチ回路ＳＷａ１’〜ＳＷｂ２’を順次切り換えることで、ボリュームの切換をスムースに行うことができる。
【００２５】
本発明は、以上の構成から成るから、
（１）スイッチ数を半減することができ、かつ、
（２）従来のように時定数部外付けコンデンサが不要であり、
（３）時定数部を内部ＳＣＦにて構成できるため、ＶＣＯの基準周波数の分周率を可変とすることにより周波数、つまり時定数を任意に設定することが可能である。
【００２６】
尚、本発明は、音入力源から各帯域の入力信号を選択して任意の増幅率で各帯域の信号を組み合わせて出力するグラフィックイコライザ装置や、単純に複数の入力信号の内の一つを選択する入力セレクタ装置等にも応用できる。また、本実施形態では、電子ボリュームによる音量設定が４段階の場合のみを示しているが、設定段数は製品の仕様に応じて任意に設定すれば良いことは言うまでもない。
【図面の簡単な説明】
【００２７】
【図１】本発明の音信号選択手段（電子ボリューム回路）の一実施形態を概略的に示すブロック図である。
【図２】図１に示す音信号選択手段をの一部を具体的に示したブロック図である。
【図３】図１又は２の音信号選択手段で使用する時定数部を説明するための図である。図３ＡはＳＣＦによる時定数回路、図３Ｂはその等価回路、図３ＣはＳＣＦのスイッチの開閉制御する信号を示す図である。
【図４】音信号切換状態を示す図である。
【図５】音信号切換のタイミング図である。
【図６】従来装置による音信号の切換状態を示す図である。
【図７】他の従来装置による音信号切換状態を示す図である。
【図８】従来のオーディオ装置を示す構成図である。
【図９】従来の音信号選択手段（電子ボリューム回路）を概略的に示すブロック図である。
【図１０】従来の音信号選択手段の動作を説明するための動作タイミング図である。
【図１１】他の従来装置における音信号切換状態を示す図である。
【符号の説明】
【００２８】
１、２・・・増幅器、３・・・信号切換回路、４、４ａ・・・制御部、５・・・分周器、６・・・ＶＣＯ、７・・・マイクロコンピュータ、８・・・時定数部、９・・・制御回路、１０・・・オーディオ装置、１１・・・音入力源、１２・・・電子ボリューム回路（音信号選択手段）、１３・・・出力増幅器、１４・・・スピーカ（音出力手段）、１５・・・システム制御部（制御手段）、ＳＷ１ａ'、ＳＷ１ｂ'、ＳＷ２ａ'、ＳＷ２ｂ'・・・スイッチ回路。
【図１】
2005286532.tif 000003
【図２】
2005286532.tif 000004
【図３】
2005286532.tif 000005
【図４】
2005286532.tif 000006
【図５】
2005286532.tif 000007
【図６】
2005286532.tif 000008
【図７】
2005286532.tif 000009
【図８】
2005286532.tif 000010
【図９】
2005286532.tif 000011
【図１０】
2005286532.tif 000012
【図１１】
2005286532.tif 000013